(57)【特許請求の範囲】
【請求項１】
入隅を形成する一対の内桁と、
出隅を形成する一対の外桁と、
前記入隅と前記出隅との間に架け渡されたアーチ形の梁と、
前記梁と前記外桁との間に架け渡されたアーチ形の屋根材と、を備え、
前記梁には、該梁の長尺方向に延びる樋部が形成されており、
前記樋部は、
底面と、
前記底面から上方に延びる樋側面と、
前記樋側面の上端に接続された屋根材固定面と、
前記底面に立設した垂直壁と、
前記垂直壁の上端に設けられた樋部カバーと、を備え、
前記屋根材の端部は、前記屋根材固定面に固定され、前記樋部カバーに覆われており、
前記屋根材固定面と前記樋部カバーとの間には、前記屋根材の端部を任意の傾斜角度で挿入可能な空間が設けられており、
前記屋根材と、前記樋部との間には、水が該樋部に流れ込むための隙間が空けられている
ことを特徴とする屋根。
【請求項２】
前記梁は、前記屋根材を支える強度部を有し、
前記強度部は、前記梁の長尺方向に延びる長尺部材であり、
前記樋部は、前記強度部の上面に一体形成されている
ことを特徴とする請求項１記載の屋根。
【請求項３】
屋根材と、該屋根材が固定される梁とを備える屋根であって、
前記梁は、前記屋根材を支える強度部を有し、
前記強度部は、前記梁の長尺方向に延びる長尺部材であり、
前記梁は、樋部が形成されており、
前記樋部は、前記強度部の上面に一体形成されており
前記屋根材と、前記樋部との間には、水が該樋部に流れ込むための隙間が空けられている
ことを特徴とする屋根。
【請求項４】
前記樋部は、前記強度部の上面と、該上面から上方に延びる樋側面と、該樋側面の上端に接続され水平に延びる屋根材固定面とからなり、
前記屋根材の端部が前記屋根材固定面に固定されている
ことを特徴とする請求項３記載の屋根。
【発明の詳細な説明】
【技術分野】
【０００１】
本発明は、屋根に関する。さらに詳しくは、例えば、屋外の通路に設置される防雨、防雪、防風のための屋根のうち、通路の曲り角に設置される屋根等、屋根材同士が谷状に接続する部分を有する屋根に関する。
【背景技術】
【０００２】
屋外の通路等には、防雨、防雪、防風等のために屋根が設置されることがある。このような屋根には、屋根材としてポリカーボネート板を用いたものがある（例えば、特許文献１）。
【０００３】
図１２に示す従来の屋根は、屋外の通路に設置される屋根であって、通路の直線部に設置される直線屋根ユニットＳＵ１と、通路の曲り角に設置される角屋根ユニットＣＵ１とを有しており、２つの直線屋根ユニットＳＵ１が角屋根ユニットＣＵ１で接続されることにより、平面視Ｌ字形の屋根として構成されている。
直線屋根ユニットＳＵ１は、支柱110で支えられた一対の横桁120，120と、一対の横桁120，120の端部同士に架け渡された妻梁130と、一対の横桁120，120に架け渡された複数本の屋根連結梁131と、隣り合う２本の屋根連結梁131，131と一対の横桁120，120とで構成される枠内に挿入されたポリカーボネート板製の屋根材140とから構成されている。屋根連結梁131は側面視で上方に凸形となったアーチ形に成形されており、屋根材140も屋根連結梁131に沿って側面視で上方に凸形となったアーチ形となっている。
【０００４】
一方、角屋根ユニットＣＵ１は、図１３（Ａ）に示すように、支柱110（図１２参照）で支えられた一対の内桁121，121および一対の外桁122，122を有している。一対の内桁121，121は平面視Ｌ字形に接続され通路の入隅Ｉを形成しており、一対の外桁122，122は平面視Ｌ字形に接続され通路の出隅Ｏを形成している。また、内桁121，121で形成された入隅Ｉと外桁122，122で形成された出隅Ｏとの間にはコーナー梁150が対角線状に架け渡されている。そして、コーナー梁150と外桁122，122との間には、複数本の屋根連結梁131が、外桁122，122に直行するように架け渡されている。これら内桁121、外桁122、屋根連結梁131、コーナー梁150とで構成される枠内に、ポリカーボネート板製の屋根材140が挿入されている。屋根連結梁131およびコーナー梁150は側面視で上方に凸形となったアーチ形に成形されており、屋根材140も屋根連結梁131およびコーナー梁150に沿って側面視で上方に凸形となったアーチ形となっている（図１３（Ｂ）参照）。
【０００５】
角屋根ユニットＣＵ１においては、一方の外桁122に接続されている屋根材140と、他方の外桁122に接続されている屋根材140とは、コーナー梁150を介して互いに接続している。ここで、屋根材140はアーチ形となっているため、コーナー梁150の中央付近では、屋根材140，140同士が水平に接続し、コーナー梁150の中央より出隅Ｏ側は、屋根材140，140同士が山状に接続し、コーナー梁150の中央より入隅Ｉ側は、屋根材140，140同士が谷状に接続している（図１３（Ｃ）参照）。
また、屋根材140は、屋根連結梁131の側面に形成された挿入溝131gと、コーナー梁150の側面に形成された挿入溝150gに挿入されているため、屋根連結梁131およびコーナー梁150の上部は屋根材140よりも上方に突出している。そのため、コーナー梁150の中央より入隅Ｉ側において、屋根連結梁131とコーナー梁150とが接続する部分には、屋根連結梁131、コーナー梁150および屋根材140で有底の窪みが形成される。
【０００６】
したがって、上記従来の屋根に雨が降った場合には、窪みに雨水Ｗが溜まるという問題がある。
また、溜まった雨水Ｗによって屋根材140が汚れたり、屋根の下に雨水が滲出したりするという問題がある。
【０００７】
上記従来の屋根では、屋根連結梁131を無くせば、窪みが無くなるため、上記問題は解消するようにも思われる。しかし、ポリカーボネート板の屋根材140は強度が弱いため、屋根材140を支える屋根連結梁131を無くすことは現実的ではない。
【０００８】
屋外の通路等に設置される屋根には、屋根材としてアルミ押出形材を用いたものもある。
図１４（Ａ）に示す角屋根ユニットＣＵ２は、上記角屋根ユニットＣＵ１において、ポリカーボネート板の屋根材140に代えて、アルミ押出形材の屋根材240を用いており、屋根連結梁131を無くしている。屋根材240は側面視で上方に凸形となったアーチ形に成形されている。その余の構成は上記角屋根ユニットＣＵ１と同様である。
図１４（Ｂ）に示すように、屋根材240は、他の屋根材240と隣り合う側縁のうち一方の側縁が上方に曲げられており、逆Ｌ字形のＬ形リブ241aが形成されている。また、他方の側縁も上方に曲げられており、逆Ｊ字形のＪ形リブ241bが形成されている。そして、隣り合う２つの屋根材240，240は、一方の屋根材240のＬ形リブ241aが、他方の屋根材240のＪ形リブ241bに内包されるようにして連結される。このように複数枚の屋根材240が連結されることにより、全体として複数本のリブ241が形成されるようになっている。
ここで、屋根材240にリブ241a，241bを設けるのは、隣り合う屋根材240，240を連結するためだけではなく、屋根材240としての強度を保つためでもある。屋外の通路に設置される屋根は、風圧に耐え、積雪による加重に耐える必要があるからである。
【０００９】
角屋根ユニットＣＵ２においても、一方の外桁122に接続されている屋根材240と、他方の外桁122に接続されている屋根材240とは、コーナー梁150を介して互いに接続している。ここで、屋根材240はアーチ形となっているため、コーナー梁150の中央付近では、屋根材240，240同士が水平に接続し、コーナー梁150の中央より出隅Ｏ側は、屋根材240，240同士が山状に接続し、コーナー梁150の中央より入隅Ｉ側は、屋根材240，240同士が谷状に接続している。
そして、屋根材240はリブ241が上方に突出しているため、コーナー梁150の中央より入隅Ｉ側において、リブ241とコーナー梁150とが接続する部分には、リブ241、コーナー梁150および屋根材240で有底の窪みが形成される。
また、リブ241の間隔は、角屋根ユニットＣＵ１における屋根連結梁131の間隔よりも狭く、リブ241の高さは、角屋根ユニットＣＵ１において屋根連結梁131が屋根材140から突出している高さよりも高い。そのため、角屋根ユニットＣＵ２は、角屋根ユニットＣＵ１の場合よりも、窪みの数が多く、かつ、その面積が広くなる。
【００１０】
したがって、アルミ押出形材の屋根材240を用いても、屋根に雨が降った場合には、窪みに雨水Ｗが溜まるという問題がある。
また、溜まった雨水Ｗによって屋根材240が汚れたり、屋根の下に雨水が滲出したりするという問題がある。
【先行技術文献】
【特許文献】
【００１１】
【特許文献１】特開平９−３２１８１号公報
【発明の概要】
【発明が解決しようとする課題】
【００１２】
本発明は上記事情に鑑み、雨水が溜まることがなく、雨水によって屋根材が汚れたり、屋根の下に水が滲出したりすることがない屋根を提供することを目的とする。
【課題を解決するための手段】
【００１３】
第１発明の屋根は、入隅を形成する一対の内桁と、出隅を形成する一対の外桁と、前記入隅と前記出隅との間に架け渡されたアーチ形の梁と、前記梁と前記外桁との間に架け渡されたアーチ形の屋根材と、を備え、前記梁には、該梁の長尺方向に延びる樋部が形成されており、前記樋部は、底面と、前記底面から上方に延びる樋側面と、前記樋側面の上端に接続された屋根材固定面と、前記底面に立設した垂直壁と、前記垂直壁の上端に設けられた樋部カバーと、を備え、前記屋根材の端部は、前記屋根材固定面に固定され、前記樋部カバーに覆われており、前記屋根材固定面と前記樋部カバーとの間には、前記屋根材の端部を任意の傾斜角度で挿入可能な空間が設けられており、前記屋根材と、前記樋部との間には、水が該樋部に流れ込むための隙間が空けられていることを特徴とする。
第２発明の屋根は、第１発明において、前記梁は、前記屋根材を支える強度部を有し、前記強度部は、前記梁の長尺方向に延びる長尺部材であり、前記樋部は、前記強度部の上面に一体形成されていることを特徴とする。
第３発明の屋根は、屋根材と、該屋根材が固定される梁とを備える屋根であって、前記梁は、前記屋根材を支える強度部を有し、前記強度部は、前記梁の長尺方向に延びる長尺部材であり、前記梁は、樋部が形成されており、前記樋部は、前記強度部の上面に一体形成されており前記屋根材と、前記樋部との間には、水が該樋部に流れ込むための隙間が空けられていることを特徴とする。
第４発明の屋根は、第３発明において、前記樋部は、前記強度部の上面と、該上面から上方に延びる樋側面と、該樋側面の上端に接続され水平に延びる屋根材固定面とからなり、前記屋根材の端部が前記屋根材固定面に固定されていることを特徴とする。
【発明の効果】
【００１４】
第１発明によれば、屋根材と樋部との間に隙間が空けられているので、屋根材のリブ等と梁とが接続する部分に形成される窪みから雨水を排水することができる。そのため、窪みに雨水が溜まることがなく、雨水によって屋根材が汚れることがない。また、風雨により吹き込む雨水を樋部に排水することができる。さらに、排水された水は樋部を流れて屋根の外部に導かれるため、屋根の下に水が滲出することがない。
第２発明によれば、強度部を有するので、風圧や積雪による加重が屋根材に加わっても、屋根材を支えることができる。そのため、風圧に耐え、積雪による加重に耐えることができる。また、樋部が強度部の上面に一体に形成されているので、屋根の底面から樋部が見えず、美観がよい。
第３発明によれば、強度部を有するので、風圧や積雪による加重が屋根材に加わっても、屋根材を支えることができる。そのため、風圧に耐え、積雪による加重に耐えることができる。また、樋部が強度部の上面に一体に形成されているので、屋根の底面から樋部が見えず、美観がよい。
第４発明によれば、樋部が形成されているので、排水された水を流して屋根の外部に導くことができる。そのため、屋根の下に水が滲出することがない。また、屋根材は樋部の上方に位置する屋根材固定面に固定されるので、屋根材で樋部が隠れ、美観がよい。
【図面の簡単な説明】
【００１５】
【図１】図１０（Ｃ）におけるI-I線矢視断面図である。
【図２】図１０（Ｃ）におけるII-II線矢視断面図である。
【図３】図１０（Ｃ）におけるIII-III線矢視断面図である。
【図４】図１０（Ｃ）におけるI-I線断面斜視図である。
【図５】図１０（Ｃ）におけるII-II線断面斜視図である。
【図６】図１０（Ｃ）におけるIII-III線断面斜視図である。
【図７】本発明の一実施形態に係る角屋根ユニットの、（Ａ）は入隅側部分拡大図、（Ｂ）は出隅側部分拡大図である。
【図８】本発明の一実施形態に係る屋根の斜視図である。
【図９】（Ａ）は屋根板の斜視図、（Ｂ）は（Ａ）図におけるB-B線矢視断面図である。
【図１０】本発明の一実施形態に係る角屋根ユニットの、（Ａ）は平面図、（Ｂ）は側面図、（Ｃ）は（Ａ）図におけるC-C線矢視断面図である。
【図１１】同角屋根ユニットの底面斜視図である。
【図１２】従来の屋根の斜視図である。
【図１３】同屋根の角屋根ユニットの、（Ａ）は平面図、（Ｂ）は側面図、（Ｃ）は（Ａ）図におけるC-C線矢視断面図である。
【図１４】他の従来の角屋根ユニットの、（Ａ）は斜視図、（Ｂ）は（Ａ）図におけるB-B線矢視断面図である。
【発明を実施するための形態】
【００１６】
つぎに、本発明の実施形態を図面に基づき説明する。
図８に示すように、本発明の一実施形態に係る屋根Ａは、屋外の通路に防雨、防雪、防風等のために設置される屋根である。屋根Ａは、通路の直線部に設置される直線屋根ユニットＳＵと、通路の曲り角に設置される角屋根ユニットＣＵとを有しており、２つの直線屋根ユニットＳＵが角屋根ユニットＣＵで接続されることにより、平面視Ｌ字形の屋根として構成されている。
【００１７】
直線屋根ユニットＳＵは、支柱１０で支えられた一対の横桁２０，２０と、一対の横桁２０，２０の端部同士に架け渡された妻梁３０と、一対の横桁２０，２０の間に架け渡された複数枚の屋根材４０とから構成されている。
【００１８】
図９（Ａ）に示すように、屋根材４０はアルミ押出形材であって、側面視で上方に凸形となったアーチ形に成形されている。また、図９（Ｂ）に示すように、屋根材４０は、他の屋根材４０と隣り合う側縁のうち一方の側縁が上方に曲げられており、逆Ｌ字形のＬ形リブ４１ａが形成されている。他方の側縁も上方に曲げられており、逆Ｊ字形のＪ形リブ４１ｂが形成されている。そして、隣り合う２つの屋根材４０，４０は、一方の屋根材４０のＬ形リブ４１ａが、他方の屋根材４０のＪ形リブ４１ｂに内包されるようにして連結される。このように複数枚の屋根材４０が連結されることにより、全体として複数本のリブ４１が形成されるようになっている（図８参照）。
ここで、屋根材４０にリブ４１ａ，４１ｂを設けるのは、隣り合う屋根材４０，４０を連結するためだけではなく、屋根材４０としての強度を保つためでもある。屋外の通路に設置される屋根は、風圧に耐え、積雪による加重に耐える必要があるからである。
【００１９】
図８に示すように、妻梁３０は、直線屋根ユニットＳＵの端部であって、角屋根ユニットＣＵに接続していない方の端部に設けられており、屋根材４０に沿って側面視で上方に凸形となったアーチ形となっている。そして、近接する屋根材４０の側縁を固定している。
【００２０】
一対の横桁２０，２０には、それぞれ横樋６１が取り付けられており、横樋６１は、支柱１０に取り付けられた縦樋６２に接続されている。したがって、屋根材４０の上に降った雨水は、屋根材４０の傾斜により横樋６１に排水され、排水された雨水は横樋６１および縦樋６２を流れて屋根Ａの外部に導かれる。
【００２１】
角屋根ユニットＣＵは、図１０（Ａ）に示すように、支柱１０（図８参照）で支えられた一対の内桁２１，２１および一対の外桁２２，２２を有している。一対の内桁２１，２１は平面視Ｌ字形に接続され通路の入隅Ｉを形成しており、一対の外桁２２，２２は平面視Ｌ字形に接続され通路の出隅Ｏを形成している。また、内桁２１には内横樋６３が取り付けられており、外桁２２には外横樋６４が取り付けられている。これら内横樋６３および外横樋６４は、角屋根ユニットＣＵに接続する直線屋根ユニットＳＵの横樋６１に接続している（図８参照）。
【００２２】
内桁２１，２１で形成された入隅Ｉと外桁２２，２２で形成された出隅Ｏとの間にはコーナー梁５０が対角線状に架け渡されている。より詳細には、図１１に示すように、コーナー梁５０の両端には、それぞれコーナー梁受け金具５９がビスで固定されており、一方のコーナー梁受け金具５９が内桁２１に固定され、他方のコーナー梁受け金具５９が外桁２２に固定されている。
【００２３】
なお、後述する屋根材４０の底面と内桁２１の側面との間、および屋根材４０の底面と外桁２２の側面との間には、桁側面カバー２３が固定されている。桁側面カバー２３により、屋根材４０と内桁２１および外桁２２とを滑らかに連続的に接続することで、屋根Ａを下から見上げた時の美観をよくしている。
【００２４】
図１０（Ａ）に示すように、コーナー梁５０と外桁２２，２２との間には、複数枚の屋根材４０が、外桁２２，２２に直行するように架け渡されている。したがって、複数本のリブ４１が、外桁２２，２２に直行するようになっている。
【００２５】
角屋根ユニットＣＵを構成する屋根材４０も、直線屋根ユニットＳＵを構成する屋根材４０と同様に、側面視で上方に凸形となったアーチ形に成形されている（図１０（Ｂ）参照）。また、コーナー梁５０も側面視で上方に凸形となったアーチ形に成形されている（図１０（Ｃ）参照）。そして、屋根材４０の、コーナー梁５０と接続する端部は、コーナー梁５０に沿うように斜めに切断されている。
【００２６】
ここで、一方の外桁２２に接続されている屋根材４０と、他方の外桁２２に接続されている屋根材４０とは、コーナー梁５０を介して互いに接続している。
屋根材４０はアーチ形となっているため、図１から図６に示すように、コーナー梁５０の中央付近では、屋根材４０，４０同士が水平に接続し（図２、図５）、コーナー梁５０の中央より出隅Ｏ側は、屋根材４０，４０同士が山状に接続し（図３、図６）、コーナー梁５０の中央より入隅Ｉ側は、屋根材４０，４０同士が谷状に接続している（図１、図４）。
したがって、コーナー梁５０の中央より入隅Ｉ側では、屋根材４０の上に降った雨水は、屋根材４０の傾斜によりコーナー梁５０の方向に流れていくことになる。
【００２７】
つぎに、本発明の特徴部分を説明する。
図１から図６に示すように、コーナー梁５０は、コーナー梁５０に固定される屋根材４０を支える強度部５１と、強度部５１の上面に一体に形成された樋部５２を有している。このコーナー梁５０は、特許請求の範囲に記載の「梁」に相当する。
【００２８】
強度部５１は、コーナー梁５０の長手方向に延びる長尺部材であって、断面視略矩形の中空の部材である。より詳細には、強度部５１の上面５１ｔは、短尺方向中央が上方に突出した形状をしており、強度部５１の内部には、短尺方向中央において上面と底面との間に架け渡された強化壁５１ｗが形成されている。
【００２９】
樋部５２は、強度部５１の上面５１ｔと、強度部５１の両側縁から上方に延びる一対の樋側面５２ｓと、樋側面５２ｓの上端に接続され、樋部５２の短尺方向中央に向かって水平に延びる屋根材固定面５２ｆとで構成されている。
【００３０】
屋根材固定面５２ｆには所定間隔でネジ穴が穿設されており、屋根材４０の端部が、ビス５３で固定されている。前述のごとく、屋根材４０はコーナー梁５０に対して傾斜しているので、屋根材固定面５２ｆと屋根材４０との角度差を吸収するために、屋根材固定面５２ｆと屋根材４０との間に楔形のシール材５４が挿入され、屋根材４０とビス５３の頭部との間にゴム座５５が挿入されている。
【００３１】
強度部５１の上面５１ｔの短尺方向中央には、垂直壁５６が立設しており、樋部５２を短尺方向中央で二分している。垂直壁５６の上端には、樋部カバー５７がビスで固定されている。樋部カバー５７は、コーナー梁５０の長手方向に延びる長尺部材であって、垂直壁５６との接続部分を中心として、コーナー梁５０の短尺方向に水平に延びている。そして、樋部カバー５７は、コーナー梁５０に固定されている屋根材４０のリブ４１の端部を覆っている。
なお、樋部カバー５７の上部には、樋部カバー５７を垂直壁５６に固定しているビスを隠すため、樋部カバー蓋部材５８が取り付けられている。
【００３２】
コーナー梁５０に固定される屋根材４０の端部と垂直壁５６との間は接触しておらず、屋根材４０の上に降った雨水が樋部５２に流れ込むための隙間が空けられている。
【００３３】
以上のような構成であるので、コーナー梁５０の中央より入隅Ｉ側（図１、図４）では、屋根材４０の上に降った雨水は、屋根材４０の傾斜によりコーナー梁５０の方向に流れていき、屋根材４０と樋部５２との間の隙間を通って、樋部５２に排水される。したがって、屋根材４０のリブ４１とコーナー梁５０とが接続する部分に形成される窪みＳから雨水を排水することができる。そのため、窪みＳに雨水が溜まることがなく、雨水によって屋根材４０が汚れることがない。
【００３４】
また、コーナー梁５０の中央付近（図２、図５）、およびコーナー梁５０の中央より出隅Ｏ側（図３、図６）では、風雨によりコーナー梁５０に吹き込む雨水を、屋根材４０と樋部５２との間の隙間を通って、樋部５２に排水することができる。
【００３５】
また、コーナー梁５０は、強度部５１を有するので、風圧や積雪による加重が屋根材４０に加わっても、屋根材４０を支えることができる。そのため、風圧に耐え、積雪による加重に耐えることができる。
【００３６】
また、樋部カバー５７で屋根材４０とコーナー梁５０との接続部分が隠れ、美観がよい。また、屋根材４０は樋部５２の上方に位置する屋根材固定面５２ｆに固定されるので、屋根材４０で樋部５２が隠れ、美観がよい。また、樋部５２が強度部５１の上面に一体に形成されているので、屋根Ａの底面から樋部５２が見えず、屋根Ａを下から見上げた時の美観をよくしている。
【００３７】
ところで、図７に示すように、樋部５２の一端は、入隅Ｉ側に位置しており、内桁２１の上方で開口している。そのため、樋部５２を流れてきた雨水は内横樋６３に排水される（図７（Ａ））。同様に、樋部５２の他端は、出隅Ｏ側に位置しており、外桁２２の上方で開口している。そのため、樋部５２を流れてきた雨水は外横樋６４に排水される（図７（Ｂ））。
なお、図７において、樋部カバー５７の端部に取り付けられる樋部カバー端部キャップ、および屋根材４０の端部の取り付けられる屋根材側面カバーは省略している。
【００３８】
前述のごとく、内横樋６３および外横樋６４は、角屋根ユニットＣＵに接続する直線屋根ユニットＳＵの横樋６１に接続しており、横樋６１は支柱１０に取り付けられた縦樋６２に接続されている。したがって、樋部５２を流れてきた排水を樋６１、６２、６３、６４に流して屋根Ａの外部に導くことができる。そのため、屋根Ａの下に雨水が滲出することがない。
【００３９】
（他の実施形態）
上記実施形態は、アーチ形の屋根材で構成される屋根であったが、平板状の屋根材を組み合わせた寄棟屋根に本発明を適用してもよい。また、通路に設置される屋根以外にも、物置や家屋などの屋根に本発明を適用してもよい。特に、屋根材同士が谷状に接続する部分を有する屋根に適用すれば、屋根材の上に降った雨水を樋部に排水することができるので、有効である。
【符号の説明】
【００４０】
ＣＵ  角屋根ユニット
ＳＵ  直線屋根ユニット
１０  支柱
２０  横桁
２１  内桁
２２  外桁
３０  妻梁
４０  屋根材
４１  リブ
５０  コーナー梁
５１  強度部
５２  樋部
６１  横樋
６２  縦樋
６３  内横樋
６４  外横樋
【図２】
0005430534.tif 000002
【図３】
0005430534.tif 000003
【図４】
0005430534.tif 000004
【図５】
0005430534.tif 000005
【図６】
0005430534.tif 000006
【図７】
0005430534.tif 000007
【図８】
0005430534.tif 000008
【図９】
0005430534.tif 000009
【図１０】
0005430534.tif 000010
【図１１】
0005430534.tif 000011
【図１２】
0005430534.tif 000012
【図１３】
0005430534.tif 000013
【図１４】
0005430534.tif 000014
【図１】
0005430534.tif 000015